(57)【要約】【課題】表面材の交換ができ、レーザー耐性のないベーススリーブを用いた場合でもレーザー光によるベーススリーブの変形を防止可能なレーザー彫刻用スリーブ版の製造方法を提供する。【解決手段】円筒状のベーススリーブに矩形シート状の表面材を巻着してなるレーザー彫刻用スリーブ版の製造方法であって、前記表面材の互いに対向する一方の辺縁に表面側から裏面側へ漸次肉薄となるテーパー部を形成し、他方の辺縁に裏面側から表面側へ漸次肉薄となる逆テーパー部を形成するテーパーエッジ形成工程と、前記表面材を湾曲させ、前記ベーススリーブ表面に前記テーパー部を貼着し、同テーパー部に前記逆テーパー部を重畳させて継ぎ目部を形成しつつベーススリーブに表面材を巻着する巻着工程と、を有することとした。【選択図】図１
2019181806.tif 000002
【特許請求の範囲】
【請求項１】
円筒状のベーススリーブに矩形シート状の表面材を巻着してなるレーザー彫刻用スリーブ版の製造方法であって、
前記表面材の互いに対向する一方の辺縁に表面側から裏面側へ漸次肉薄となるテーパー部を形成し、他方の辺縁に裏面側から表面側へ漸次肉薄となる逆テーパー部を形成するテーパーエッジ形成工程と、
前記表面材を湾曲させ、前記ベーススリーブ表面に前記テーパー部を貼着し、同テーパー部に前記逆テーパー部を重畳させて継ぎ目部を形成しつつベーススリーブに表面材を巻着する巻着工程と、
を有することを特徴とするレーザー彫刻用スリーブ版の製造方法。
【請求項２】
前記逆テーパー部の傾斜角を、前記テーパー部の傾斜角よりも小さく形成することを特徴とする請求項１に記載のレーザー彫刻用スリーブ版の製造方法。
【請求項３】
前記テーパー部のテーパー面と前記逆テーパー部のテーパー面との間に形成された間隙に対して充填材を充填することを特徴とする請求項１又は請求項２に記載のレーザー彫刻用スリーブ版の製造方法。
【請求項４】
前記テーパー部を越えて重畳する前記逆テーパー部の先端を、巻着した前記表面材の曲面と略面一に切欠することを特徴とする請求項１〜３いずれか１項に記載のレーザー彫刻用スリーブ版の製造方法。
【請求項５】
前記ベーススリーブは、熱可塑性樹脂フィルムを円筒状に湾曲させ、端辺を溶着して接合部を形成したスリーブ体により構成したことを特徴とする請求項１〜４いずれか１項に記載のレーザー彫刻用スリーブ版の製造方法。
【請求項６】
前記熱可塑性樹脂フィルムは、矩形シート状の同熱可塑性樹脂フィルムの互いに対向する一方の辺縁に表面側から裏面側へ漸次肉薄となるテーパー部を形成し、他方の辺縁に裏面側から表面側へ漸次肉薄となる逆テーパー部を形成したものであり、
前記スリーブ体の接合部は、前記テーパー部のテーパー面と、前記逆テーパー部のテーパー面とを接合して形成することを特徴とする請求項５に記載のレーザー彫刻用スリーブ版の製造方法。
【請求項７】
前記ベーススリーブは、一の熱可塑性樹脂フィルムにて形成したスリーブ体の表面に他の熱可塑性樹脂フィルムを巻着してなる同軸状に半径方向へ積層された複数のスリーブ体により構成し、
一のスリーブ体の接合部は、隣接する他のスリーブ体の接合部以外の部位と積層するよう形成したことを特徴とする請求項５又は請求項６に記載のレーザー彫刻用スリーブ版の製造方法。
【請求項８】
円筒状のベーススリーブと、同ベーススリーブの表面に巻着された矩形シート状の表面材からなり前記ベーススリーブの母線方向と略同方向沿って伸延する前記表面材の両端辺が隙間なく又は隙間を介して突き合わされた継ぎ目部を備える表面材層と、を有するレーザー彫刻用スリーブ版において、
前記継ぎ目部は、前記両端辺の一方の辺縁に形成された表面側から裏面側へ漸次肉薄となるテーパー部と、他方の辺縁に形成された裏面側から表面側へ漸次肉薄となる逆テーパー部とが前記表面材層の厚み方向に重畳させて突き合わされていることを特徴とするレーザー彫刻用スリーブ版。
【発明の詳細な説明】
【技術分野】
【０００１】
本発明は、レーザー彫刻用スリーブ版の製造方法に関する。
【背景技術】
【０００２】
従来、飲料缶などの缶胴表面に印刷を施すために、例えば特許文献１に記載されているように、表面に版が刻設された円筒樹脂製の印刷版（スリーブ印刷版）を回転させながら筒状の缶胴に対して印刷する装置が使用されている。
【０００３】
このような印刷装置で使用されるスリーブ印刷版は、液状インキ（水性インキやＵＶインキ）を用いる凸版印刷方式の一つであるフレキソ印刷用として使用されている。
【０００４】
また最近では、スリーブ印刷版の表面に版を形成するにあたってレーザー彫刻が採用されることも多く、印刷レリーフ（印刷パターン）を高精度で刻設することができる。
【０００５】
特に、長年に亘り本技術分野において鋭意研究を続けてきた本発明者は、過去に感光性樹脂からなる印刷版のレーザー加工時におけるひび割れや欠けの抑制という課題に着目し、所定の加熱・冷却処理を施すことにより印刷品質の更なる向上が実現されるスリーブ印刷版の製造方法を提供している（特許文献２参照。）。
【０００６】
このように、スリーブ印刷版を用いた印刷技術は日々進化し続けており、今後益々の需要拡大が見込まれている。
【先行技術文献】
【特許文献】
【０００７】
【特許文献１】特開２０１０−１６２８７９号公報
【特許文献２】特開２０１５−１６０３７０号公報
【発明の概要】
【発明が解決しようとする課題】
【０００８】
ところで、上述した特許文献１に記載されているスリーブ印刷版は、版が刻設された表面材のみを取り替えることはできないものである。
【０００９】
それゆえ、劣化した表面材のみを新しくしたり、表面材を除いてベース部分を他へ転用することもできず、製造価格の低下が妨げられており経済的とは言い難い。
【００１０】
その点、過去に本発明者が提案した特許文献２に記載のスリーブ印刷版は、金属製のベーススリーブと同ベーススリーブ上に着脱可能に貼着した表面材とで構成されており、版が刻設された表面材のみの取り替えも可能であるため経済的に優れている。
【００１１】
また、特許文献１に記載のスリーブ印刷版を、特許文献２に記載のスリーブ印刷版の如くベーススリーブと表面材とで構成した場合、ベーススリーブ全体がFRP等の樹脂で形成されており、レーザー彫刻時のレーザー光がベーススリーブに照射されるとその照射部位が消失するなどして変形し、印刷品質に著しい悪影響を及ぼす。なお、以下の説明において、レーザー彫刻時のレーザー光に対するベーススリーブの耐性を、単にレーザー耐性と称する。
【００１２】
この点、特許文献２に記載のスリーブ印刷版のベーススリーブは金属製であり、レーザー耐性を有することからレーザー光による焼損は回避可能である。
【００１３】
しかしながら、金属製のベーススリーブは落下などによる衝撃で変形すると再使用できなることが多く、コストアップの要因になっており、レーザー耐性のない素材で形成されたベーススリーブであっても変形が防止される技術が求められていた。
【００１４】
本発明は、斯かる事情に鑑みてなされたものであって、表面材の交換ができ、レーザー耐性のないベーススリーブを用いた場合でもレーザー光によるベーススリーブの変形を防止可能なレーザー彫刻用スリーブ版、及びその製造方法を提供する。
【課題を解決するための手段】
【００１５】
上記従来の課題を解決するために、本発明に係るレーザー彫刻用スリーブ版の製造方法では、（１）円筒状のベーススリーブに矩形シート状の表面材を巻着してなるレーザー彫刻用スリーブ版の製造方法であって、前記表面材の互いに対向する一方の辺縁に表面側から裏面側へ漸次肉薄となるテーパー部を形成し、他方の辺縁に裏面側から表面側へ漸次肉薄となる逆テーパー部を形成するテーパーエッジ形成工程と、前記表面材を湾曲させ、前記ベーススリーブ表面に前記テーパー部を貼着し、同テーパー部に前記逆テーパー部を重畳させて継ぎ目部を形成しつつベーススリーブに表面材を巻着する巻着工程と、を有することとした。
【００１６】
また、本発明に係るレーザー彫刻用スリーブ版の製造方法では、以下の点にも特徴を有する。
（２）前記逆テーパー部の傾斜角を、前記テーパー部の傾斜角よりも小さく形成すること。
（３）前記テーパー部のテーパー面と前記逆テーパー部のテーパー面との間に形成された間隙に対して充填材を充填すること。
（４）前記テーパー部を越えて重畳する前記逆テーパー部の先端を、巻着した前記表面材の曲面と略面一に切欠すること。
（５）前記ベーススリーブは、熱可塑性樹脂フィルムを円筒状に湾曲させ、端辺を溶着して接合部を形成したスリーブ体により構成したこと。
（６）前記熱可塑性樹脂フィルムは、矩形シート状の同熱可塑性樹脂フィルムの互いに対向する一方の辺縁に表面側から裏面側へ漸次肉薄となるテーパー部を形成し、他方の辺縁に裏面側から表面側へ漸次肉薄となる逆テーパー部を形成したものであり、前記スリーブ体の接合部は、前記テーパー部のテーパー面と、前記逆テーパー部のテーパー面とを接合して形成すること。
（７）前記ベーススリーブは、一の熱可塑性樹脂フィルムにて形成したスリーブ体の表面に他の熱可塑性樹脂フィルムを巻着してなる同軸状に半径方向へ積層された複数のスリーブ体により構成し、一のスリーブ体の接合部は、隣接する他のスリーブ体の接合部以外の部位と積層するよう形成したこと。
【００１７】
また、本発明に係るレーザー彫刻用スリーブ版では、（８）円筒状のベーススリーブと、同ベーススリーブの表面に巻着された矩形シート状の表面材からなり前記ベーススリーブの母線方向と略同方向沿って伸延する前記表面材の両端辺が隙間なく又は隙間を介して突き合わされた継ぎ目部を備える表面材層と、を有するレーザー彫刻用スリーブ版において、前記継ぎ目部は、前記両端辺の一方の辺縁に形成された表面側から裏面側へ漸次肉薄となるテーパー部と、他方の辺縁に形成された裏面側から表面側へ漸次肉薄となる逆テーパー部とが前記表面材層の厚み方向に重畳させて突き合わされていることとした。
【発明の効果】
【００１８】
本発明に係るレーザー彫刻用スリーブ版の製造方法によれば、円筒状のベーススリーブに矩形シート状の表面材を巻着してなるレーザー彫刻用スリーブ版の製造方法であって、前記表面材の互いに対向する一方の辺縁に表面側から裏面側へ漸次肉薄となるテーパー部を形成し、他方の辺縁に裏面側から表面側へ漸次肉薄となる逆テーパー部を形成するテーパーエッジ形成工程と、前記表面材を湾曲させ、前記ベーススリーブ表面に前記テーパー部を貼着し、同テーパー部に前記逆テーパー部を重畳させて継ぎ目部を形成しつつベーススリーブに表面材を巻着する巻着工程と、を有することとしたため、表面材の交換ができ、レーザー耐性のないベーススリーブを用いた場合でもレーザー光によるベーススリーブの変形を防止可能なレーザー彫刻用スリーブ版の製造方法を提供することができる。
【００１９】
また、本発明に係るレーザー彫刻用スリーブ版によれば、円筒状のベーススリーブと、同ベーススリーブの表面に巻着された矩形シート状の表面材からなり前記ベーススリーブの母線方向と略同方向沿って伸延する前記表面材の両端辺が隙間なく又は隙間を介して突き合わされた継ぎ目部を備える表面材層と、を有するレーザー彫刻用スリーブ版において、前記継ぎ目部は、前記両端辺の一方の辺縁に形成された表面側から裏面側へ漸次肉薄となるテーパー部と、他方の辺縁に形成された裏面側から表面側へ漸次肉薄となる逆テーパー部とが前記表面材層の厚み方向に重畳させて突き合わされていることとしたため、表面材の交換ができ、レーザー耐性のないベーススリーブを用いた場合でもレーザー光によるベーススリーブの変形を防止可能なレーザー彫刻用スリーブ版を提供することができる。
【図面の簡単な説明】
【００２０】
【図１】レーザー彫刻用スリーブ版の構成を示した説明図である。
【図２】レーザー彫刻時の状態を示す説明図である。
【図３】表面材の継ぎ目部の状態を示す説明図である。
【図４】ベーススリーブの接合部の状態を示す説明図である。
【図５】ベーススリーブの接合部の状態を示す説明図である。
【図６】ベーススリーブの接合部と、表面材の継ぎ目部との位置関係を示す説明図である。
【図７】マンドレルに装着されたレーザー彫刻用スリーブ版の状態を示す説明図である。
【図８】従来のレーザー彫刻用スリーブ版の構成を示す説明図である。
【発明を実施するための形態】
【００２１】
本発明は、円筒状のベーススリーブに矩形シート状の表面材を巻着してなるレーザー彫刻用スリーブ版の製造方法であって、表面材の交換ができ、レーザー耐性のないベーススリーブを用いた場合でもレーザー光によるベーススリーブの変形を防止可能なレーザー彫刻用スリーブ版の製造方法を提供するものである。
【００２２】
従来より、ベーススリーブに表面材を巻着してレーザー彫刻用スリーブ版を製造する方法は存在していたものの、巻着した表面材の端辺同士の継ぎ目部を隙間無く形成することが困難であるため、図８（ａ）に示すようにレーザー彫刻用スリーブ版１００を構成するベーススリーブ１１０の表面１１０ａが、継ぎ目部１０１にて表面材１１１の間隙１０１ａを介して露出することとなっていた。
【００２３】
それ故、このようなレーザー彫刻用スリーブ版１００に対してレーザー彫刻を施す際、図８（ｂ）に示すように、レーザー出射部１０２から出射されたレーザー光１０２ａが間隙１０１ａの部分に照射されると、ベーススリーブ１１０の表面が直接曝されることとなり、レーザー耐性のないベーススリーブ１１０の一部が消失して変形してしまうこととなっていた。
【００２４】
これに対し、本実施形態に係るレーザー彫刻用スリーブ版の製造方法では、表面材の端辺を所定の形状と成し、継ぎ目部をこれまでにない独特の構造とすることにより、上述のような問題を解消することとしている。
【００２５】
本実施形態に係るレーザー彫刻用スリーブ版の製造方法においてベーススリーブの素材は限定されるものではないが、レーザー耐性のない素材、すなわち、レーザー彫刻時のレーザー光が照射された際に一部が消失し変形してしまうおそれのある素材とした場合に効果を発揮する。
【００２６】
特に本願では、このベーススリーブについても本製造方法の選択的な一態様として特徴的な部分であるため、ベーススリーブの詳細な構成等については追って説明する。
【００２７】
ベーススリーブに貼着される表面材はレーザー加工が可能であって印刷に適した素材であれば特に限定されるものではなく、例えばPETフィルムや繊維などにより構成された支持体の表面に感光性樹脂やエラストマー等の弾性体層を重畳して形成したものを好適に使用することができる。
【００２８】
そして、本実施形態に係るレーザー彫刻用スリーブ版の製造方法の特徴点としては、テーパーエッジ形成工程と、巻着工程とを経てレーザー彫刻用スリーブ版を製造することが挙げられる。
【００２９】
テーパーエッジ形成工程は、表面材の互いに対向する一方の辺縁に表面側から裏面側へ漸次肉薄となるテーパー部を形成し、他方の辺縁に裏面側から表面側へ漸次肉薄となる逆テーパー部を形成する工程である。
【００３０】
図１は、本実施形態に係るレーザー彫刻用スリーブ版の製造方法に係るベーススリーブ１０や表面材１１を示す説明図であり、図１（ａ）は、レーザー彫刻用スリーブ版Ａをベーススリーブ１０と、同ベーススリーブ１０の表面に巻着される表面材１１とに分解した状態を示している。
【００３１】
図１（ａ）に示すようにベーススリーブ１０は、外表面周回りの長さをＬ１とした円筒状の部材であり、表面材１１を周方向に巻着することでレーザー彫刻用スリーブ版Ａが構成される。
【００３２】
表面材１１は、レーザー彫刻機により彫刻が施される表面１１ａと、ベーススリーブ１０の表面に対向して巻着される裏面１１ｂとを備えた正面視矩形状のシート体としている。
【００３３】
また、ベーススリーブ１０の湾曲方向Ｐの互いに対向する両端辺、すなわち、ベーススリーブの母線方向と略同方向沿って伸延する表面材１１の両端辺の辺縁には、テーパーエッジ１２を形成している。図１（ｂ）は、テーパーエッジ１２の構成を模式的に示した表面材１１の厚み方向断面図である。なお、本実施形態では図１（ｂ）に示すように、表面１１ａから裏面１１ｂにかけてレーザー彫刻が施される樹脂層１３ａと、樹脂層１３ａを支持する支持体層１３ｂと、表面材１１をベーススリーブ１０の表面に貼着させるための粘着層１３ｃとの多層構造を有する表面材１１を例として示しているが、これに限定されるものではない。例えば、樹脂層１３ａと支持体層１３ｂとで構成された表面材１１を用い、ベーススリーブ１０への巻着に際しては、粘着層１３ｃの代替として別途両面テープを用いることも可能である。
【００３４】
テーパーエッジ１２は、図１（ｂ）中で左側に示すように、一方の辺縁にて表面１１ａ側から裏面１１ｂ側へ漸次肉薄となるように形成されたテーパー部１２ａと、図１（ｂ）中で右側に示した他方の辺縁にて裏面１１ｂ側から表面１１ａ側へ漸次肉薄となるように形成された逆テーパー部１２ｂとを備えている。なお、本実施形態では符号Ｌ４で示すテーパー幅を約1.7〜2.3mm、符号Ｌ５で示す逆テーパー幅を約1.9〜2.5mmとしている。また、以下の説明においてテーパー部１２ａ及び逆テーパー部１２ｂのいずれも形成されていない部分（以下、表面材本体部ともいう。）の湾曲方向Ｐへの長さを表面材本体部長さＬ３と称し、表面１１ａの湾曲方向Ｐへの長さ、すなわち表面材本体部長さＬ３と逆テーパー幅Ｌ５とを併せた長さを表面長さＬ６と称し、裏面１１ｂの湾曲方向Ｐへの長さ、すなわち、表面材本体部長さＬ３とテーパー幅Ｌ４とを併せた長さを裏面長さＬ７と称する。
【００３５】
これらテーパーエッジ１２は、ロール状に巻回された長尺の表面材から表面材１１を切り出す際に、長尺表面材の切断目標箇所に対し、法線方向よりも湾曲方向に傾けて切断することで形成しても良く、また、端面が略直角となるよう法線方向に沿って切断した後に、図１（ｂ）にて破線で示す隅部を切削するなどして形成することも可能である。
【００３６】
また、テーパー部１２ａの傾斜角αや、逆テーパー部１２ｂの傾斜角βは、鋭角であれば特に限定されないが、10度〜60度の範囲が好ましく、30度±10度がより好ましい。
【００３７】
また、テーパー部１２ａの傾斜角αと逆テーパー部１２ｂの傾斜角βは、略同じ角度に形成しても良く、傾斜角βを傾斜角αよりも小さな角度に形成しても良い。
【００３８】
また、ベーススリーブ１０に巻着する際に湾曲方向Ｐの長さ、すなわち、図１（ａ）中にて符号Ｌ２で示す長さ（以下、湾曲長さＬ２とも言う。）は、表面材１１の厚みにもよるが、ベーススリーブ１０に表面材１１を巻着した際に、テーパー部１２ａのテーパー面と逆テーパー部１２ｂのテーパー面とが隙間なく当接する長さが理想的である。
【００３９】
しかしながら、湾曲長さＬ２の長さが両テーパー面が窮屈に当接する長さである場合、うまく貼り合わせができず剥離が生じることとなるため、表面材１１の湾曲長さＬ２をベーススリーブ１０の外周長さＬ１よりも若干短くして両テーパー面間に僅かに（例えば0.1〜0.3mm程度の）隙間ができる程度の長さとしたり、表面材１１の裏面長さＬ７を僅かに隙間ができる程度の長さ（例えば、ベーススリーブ１０の外周長さＬ１よりも0.1〜0.3mm程度短い長さ）としつつ、表面材１１の表面長さＬ６を逆テーパー部１２ｂの先端がテーパー部１２ａを僅かに越えて表面材本体部に重畳する長さ（例えば、0.05〜0.3mm程度テーパー部１２ａを越える長さ）としても良い。但し、両テーパー面間に隙間ができる程度の長さとした場合には、表面材１１が貼着されていない隙間箇所に相当するベーススリーブ１０の表面が、レーザー彫刻の際のレリーフ深度以上の厚みの表面材１１で覆われるようにすべきである。
【００４０】
巻着工程は、ベーススリーブ１０の表面にテーパー部１２ａを貼着し、表面材１１をベーススリーブ１０の曲面に沿って丸めながら、テーパー部１２ａに逆テーパー部１２ｂを重畳させてベーススリーブ１０に表面材１１を巻着し表面材層１４を形成する工程である。なお、ここで重畳とは、両テーパー面が接触しているか否かや隙間が形成されているか否かに拘わらず、テーパー部１２ａと逆テーパー部１２ｂとが積層方向に重なって配置されている状態を意味している。
【００４１】
ベーススリーブ１０に対して表面材１１を巻着する際の表面材１１の向きは特に限定されるものではないが、印刷を行う際のベーススリーブ１０の回転方向Ｒに沿ってテーパー部１２ａのテーパー面が下り傾斜となる向きであるのが望ましい。付言すると、逆テーパー部１２ｂの先端の向きが、印刷時の回転方向と逆方向であるのが望ましい。
【００４２】
そして、例えば傾斜角αと傾斜角βとを略同じ角度としつつ巻着工程を行った場合、図２（ａ）に示すように、ベーススリーブ１０の表面に表面材１１を巻着して形成した表面材層１４の継ぎ目部１５は、湾曲長さＬ２の長さを適宜調整することで、テーパー部１２ａと逆テーパー部１２ｂとが表面材層１４の厚み方向に重畳し、且つ、両テーパ部のテーパー面同士が接触した状態で突き合うこととなる。
【００４３】
従って、このような継ぎ目部構造を備えたレーザー彫刻用スリーブ版Ａは、継ぎ目部１５にベーススリーブ１０の表面が露出した間隙が形成されておらず、レーザー彫刻を行った際、図２（ｂ）に示すようにベーススリーブ１０に対して直接的にレーザー光１０２ａが照射されることがなく、レーザー耐性のない素材にて形成されたベーススリーブ１０であっても、消失による変形を防止することができる。
【００４４】
また仮に、図３（ａ）の如く継ぎ目部１５において若干の間隙１５ａが形成された場合であっても、テーパー部１２ａ及び逆テーパー部１２ｂのテーパー面を、レーザー光１０２ａの光軸方向に対し横断する方向に形成しているため、レーザー光１０２ａがベーススリーブ１０の表面に直接的に照射されることはなく、消失による変形が防止される。
【００４５】
また、このような間隙に対しては、図３（ｂ）に示すように充填材１５ｂを充填して充填部１５ｃを形成しても良い。充填材１５ｂとしては、例えば感光性樹脂版の未露光材を使用することができ、熱軟化させたり、溶剤で軟化させたものを接合部隙間に圧入後、紫外線硬化させても良い。また更に充填材１５ｂとしては、ゴム系、シリコン系、シアノアクリレート系などの接着剤などを使用することもできる。
【００４６】
間隙への充填材１５ｂの充填後は、間隙１５ａの表面開口より溢出した充填材１５ｂの硬化部１５ｄを例えばフライス刃などにより切削し、図３（ｃ）に示すように、表面材層１４の表面の曲面に併せて略面一としたり、平坦になるよう後加工を行うのが望ましい。
【００４７】
また、間隙が形成されることを予め想定し、図１（ｂ）に示す表面材１１の逆テーパー部１２ｂの傾斜角βをテーパー部１２ａの傾斜角αよりも小さな角度に形成すると共に、表面材１１の裏面長さＬ７を僅かに隙間ができる程度の長さとしつつ、表面材１１の表面長さＬ６や逆テーパー幅Ｌ５を逆テーパー部１２ｂの先端がテーパー部１２ａを僅かに越えて重畳する長さとしても良い。
【００４８】
この場合、図４（ａ）に示すように、逆テーパー部１２ｂの先端がテーパー部１２ａを越えて表面材本体部上へ表面材層１４の表面より僅かに突出した突出先端部１２ｃが形成されることとなるが、この突出部分を表面材層１４の曲面と略面一に切欠して破線で示す如く切欠部１２ｄを形成することで、ベーススリーブ１０表面への直接的なレーザー光１０２ａの照射をより堅実に抑制することができる。
【００４９】
このように、本実施形態に係るレーザー彫刻用ベーススリーブの製造方法は、レーザー光によるベーススリーブの変形を防止することができ、また表面材の交換も可能なレーザー彫刻用スリーブ版を製造することができる。なお、本製造方法によって製造されたレーザー彫刻用スリーブ版に更なる手を加えて表面材の交換を不可能にすることは使用者が適宜行うことであり、このようなレーザー彫刻用スリーブ版もまた本発明に含まれることは言うまでもない。ただし、本願の権利化にあたり、出願人がこれらの仕様について限定を行うことは妨げない。
【００５０】
すなわち、円筒状のベーススリーブと、同ベーススリーブの表面に巻着された矩形シート状の表面材からなり前記ベーススリーブの母線方向と略同方向沿って伸延する前記表面材の両端辺が突き合わされた（間隙が形成されている場合も含む。）継ぎ目部を備える表面材層と、を有するレーザー彫刻用スリーブ版において、前記継ぎ目部は、前記両端辺の一方の辺縁に形成された表面側から裏面側へ漸次肉薄となるテーパー部と、他方の辺縁に形成された裏面側から表面側へ漸次肉薄となる逆テーパー部とを前記表面材層の厚み方向に重畳させて突き合わせたレーザー彫刻用スリーブ版や、その製造方法を提供することができる。
【００５１】
また、先述の如く本実施形態に係るレーザー彫刻用ベーススリーブの製造方法は、ベーススリーブ１０のレーザー耐性の有無に拘わらず適用可能であるが、ベーススリーブ１０を敢えてレーザー耐性のない、例えば樹脂シート素材を加工して形成するのも一案である。
【００５２】
すなわち、ベーススリーブ１０は、熱可塑性樹脂フィルムを円筒状に湾曲させ、端辺を溶着して接合部を形成したスリーブ体により構成しても良い。
【００５３】
本発明者は過去に、金属製ベーススリーブを採用することにより、表面材の貼り替えによってスリーブを再使用する技術について提案もしているが、専らこれは従来の表面材の貼付方法では継ぎ目部に隙間が形成されてしまい、隙間部分からベーススリーブが露出するため、レーザーによって破壊されないことがレーザー彫刻用スリーブ版Ａに求められていたからである。
【００５４】
しかしながら、金属製のベーススリーブは落下などによる衝撃で変形し、再使用できなることが多くコストアップの要因になっていた。その反面、プラスチックフィルムによるベーススリーブは落下時にも破損することが少なく、軽量で安価である。
【００５５】
また、従来より存在するレーザー彫刻用スリーブ版のうち、FRP製のスリーブに液状の感光製樹脂を巻き、紫外線露光し固化させ、円筒研削することによって製造されるスリーブ版については、ベーススリーブの全面が樹脂で覆われているためベーススリーブを侵すことなくレーザー彫刻可能ではあるが、ベーススリーブの製造に際しFRPで製造工数が多いことや、液体樹脂を巻く際に厚めに成形せざるをえないため感光性樹脂の歩留まり量が悪いこと、円筒研削に時間と手間がかかることなどの理由で高価であった。
【００５６】
そこで本実施形態に係るレーザー彫刻用スリーブ版の製造方法では、安価な熱可塑性樹脂フィルムを筒状に丸めてスリーブ体を形成し、このスリーブ体でベーススリーブを構築することとしている。
【００５７】
スリーブ体の形成に使用する熱可塑性樹脂フィルムは、熱可塑性の樹脂で強度の高いもの、例えばポリエステルフィルムやポリカーボネートフィルムなどが使用できる。
【００５８】
例えばポリエステルフィルムを選択した場合は、強度的には二軸延伸フィルムが好適で、結晶性の高いものを選択すべきである。ガラス繊維やケブラー繊維、炭素繊維などの短繊維をフィラーとして練り合わせたフィルムでも良い。また、２軸延伸フィルムの場合、スリーブの円周方向には破断伸度の高い方向を選択すべきであり、一般的には延伸のMD方向を使用するのが望ましい。
【００５９】
また、熱可塑性樹脂フィルムの湾曲方向端辺同士の接合は、例えば超音波溶着により行うことができる。
【００６０】
そして、このような構成を備えることにより、ベーススリーブ部分を安価且つ容易に製造でき、また不要になれば可燃物として焼却するなど簡単に処分でき、更には優れた落下耐性を備えるという効果が発揮される。
【００６１】
スリーブ体（ベーススリーブ）の構築にあたり使用する熱可塑性樹脂フィルムの湾曲方向の長さは、最終的に構築されるベーススリーブの内周長さが、印刷や彫刻に使用するマンドレルの外周長さよりも0.1％〜0.3％ほど短い長さとするのが好ましい。このような構成とすることにより、常に一定の強い収縮力でマンドレルを締め付けることとなり、高速回転時においてもレーザー彫刻用スリーブ版が遠心力によってマンドレル表面から浮いたり、滑ったりすることを防止できる。
【００６２】
また、スリーブ体（ベーススリーブ）の作成にあたっては、矩形シート状の熱可塑性樹脂フィルムの互いに対向する一方の辺縁に表面側から裏面側へ漸次肉薄となるテーパー部を形成し、他方の辺縁に裏面側から表面側へ漸次肉薄となる逆テーパー部を形成すると共に、図５に示す如くスリーブ体２０のテーパー部２２ａのテーパー面と、逆テーパー部２２ｂのテーパー面とを接合して接合部２５を形成しても良い。
【００６３】
すなわち、熱可塑性樹脂フィルムを筒状に丸め端辺同士を接合してスリーブ体２０からなるベーススリーブ１０を形成するにあたり、この接合部２５の構造は、前述の表面材１１の継ぎ目部１５の構造と略同様に形成しても良い。このような構成とすることにより、レーザー彫刻や印刷時に使用する、スリーブ径よりわずかに太いマンドレルでの抜き差しを行っても破断することがない。
【００６４】
また、スリーブ体２０のテーパー部２２ａや逆テーパー部２２ｂのテーパ面は、いずれか一方又は両方の表面粗さをRa10〜50程度の粗さとするのが好ましい。このような構成とすることにより、溶着時の接合を更に強固にすることができる。
【００６５】
また、接合部２５におけるテーパー部２２ａと逆テーパー部２２ｂとの重ね合わせの幅は、使用する熱可塑性樹脂フィルムの厚みにもよるが、概ね1mm以上6mm以下の範囲であるのが望ましい。
【００６６】
なお、レーザー彫刻用スリーブ版Ａを構築する場合、ベーススリーブ１０に巻着される表面材１１の継ぎ目部１５は、図６に示すようにスリーブ体の接合部２５の位置と円周上において位相差を付けるのが望ましい。このような構成とすることにより、ベーススリーブ１０（スリーブ体２０）の接合部２５には表面材１１の表面材本体部、すなわち継ぎ目部１５以外の部分が貼付され、逆に、表面材１１の継ぎ目部１５はベーススリーブ１０（スリーブ体２０）を構成する熱可塑性樹脂フィルムの本体部、すなわち接合部２５以外の部分が貼付されることとなるため、レーザー彫刻用スリーブ版Ａをより強固な構造とすることができる。
【００６７】
また、ベーススリーブ１０は、一の熱可塑性樹脂フィルムにて形成したスリーブ体２０の表面に他の熱可塑性樹脂フィルムを巻着してなる半径方向へ積層された複数のスリーブ体２０により構成しても良い。
【００６８】
このような構成とすることにより、より強度の高いベーススリーブ１０とすることができる。
【００６９】
複数のスリーブ体２０が積層したベーススリーブ１０を構築する場合、これらの貼り合わせは、両面テープや接着剤により行うことができる。また例えば、使用する熱可塑性樹脂フィルムに黒色のグレードがある場合は、YAGレーザーなどによりフィルム同士の界面を面溶着させることも可能である。
【００７０】
また、一のスリーブ体２０の接合部２５は、隣接する他のスリーブ体２０の接合部２５以外の部位と積層させるのが好ましい。
【００７１】
各スリーブ体２０の接合部２５は、スリーブ印刷版としてマンドレルに装着した際に、回転により発生する円周方向へのテンションで破断する可能性のある脆弱な箇所であるが、上述の構成の如く隣接する各スリーブ体２０の接合部２５をその円周方向にそれぞれ位相を異ならせることにより、破断する可能性を減少できる。これは、一のスリーブ体２０の接合部２５に対し、他のスリーブ体２０の接合部２５以外の部分を継ぎ当てて、前記一のスリーブ体２０の接合部２５を補強できるためである。
【００７２】
また、レーザー彫刻用スリーブ版Ａには、マンドレルに形成されているレジスターピンと係合するノッチを形成すると共に、ベーススリーブ１０と表面材１１との間には、ノッチ周りを補強するノッチ補強板を介在させるようにしても良い。
【００７３】
すなわち、図７（ａ）に示すようにマンドレル３０の周面には凸形状のレジスターピン３１が形成されており、レーザー彫刻や印刷を行うにあたり、スリーブ版に形成したノッチ３２をレジスターピン３１に係合させることで、スリーブ版表面の絵柄等とマンドレル３０の円周方向の位相とを合わせているが、本実施形態では、このノッチ３２の周りを補強するために、ベーススリーブ１０と表面材１１との間にノッチ補強板３３を介在させている。
【００７４】
ノッチ補強板３３は、図７（ｂ）に示すように、略半円形状の金属板であり、弦に相当する辺の略中央部をノッチ３２の形状に切欠したレジスターピン係合部３３ａが形成されている。
【００７５】
また、弦に相当する辺からレジスターピン係合部３３ａに至る角部や、弦に相当する辺から弧に相当する辺に至る角部を、それぞれ切り欠いたりＲ形状とすることで、使用中にレーザー彫刻用スリーブ版Ａがノッチ補強板３３に起因して破断することを防止している。
【００７６】
なお、ノッチ補強板３３の取付態様の一例としては、例えば、ベーススリーブ１０の厚みが0.3mm、表面材１１の厚みが両面テープを含め1mmとした場合、表面材１１の支持体層１３ｂであるポリエステルフィルムの裏面に深さ0.1mmの座繰りを行い、0.1mm厚さのステンレス製のノッチ補強板３３をはめ込むことで実現できる。また、他の例としては、ベーススリーブ１０の厚みが0.5mm、両面テープ厚みが0.5mm、表面材１１の厚みが1.7mmの場合、ノッチ３２の箇所の両面テープを切り欠き、貼付用の薄い両面テープを含めて0.5mm厚さとなるノッチ補強板３３をはめ込むことで実現しても良い。
【００７７】
また、更なる他の例としては、各部材を重ね合わせて貼り合わせた後に、ノッチ形状を切り抜けるパンチとダイなどによってノッチ形状を付加するようにしても良い。
【００７８】
このように、ベーススリーブ１０を、円筒状に湾曲し対向する端辺同士が溶着された接合部を有する熱可塑性樹脂フィルムにて形成したり、接合部を、前記両端辺の一方の辺縁に形成された表面側から裏面側へ漸次肉薄となるテーパー部と、他方の辺縁に形成された裏面側から表面側へ漸次肉薄となる逆テーパー部とを前記表面材層の厚み方向に重畳させて突き合わせたレーザー彫刻用スリーブ版やその製造方法を提供することができる。
【００７９】
以下、本実施形態に係るレーザー彫刻用スリーブ版の製造方法に関し、実際の製造例を参照しながら更に説明する。
【００８０】
〔１．ベーススリーブの形成〕
ベーススリーブの形成を行うべく、熱可塑性樹脂フィルムとして、東レ株式会社製のルミラー（ポリエステルフィルム）、H10グレードの300ミクロン厚みのフィルムを用い、幅200mm、長さ712.7mmの長方形を切り出した。湾曲方向の長さは712.7mmとし、方向はフィルムのMD方向とした。
【００８１】
これの湾曲方向長さ方向両端部を、先端断面角度を6°に切削したアルミ板をガイドにしベルトサンダーにて研磨することで、表面粗さがRa10〜50程度のテーパー部及び逆テーパー部を形成した。研磨幅の目安として、先にフィルムの両端部、幅3mmをマジックにて着色して行った。
【００８２】
研磨によって着色部が目視確認できなくなる程度を基準として研磨を完了した。
【００８３】
これを外径φ225.86mmの鉄製マンドレルに巻きつけ、接合部以外の外周にシートマグネットを巻きつけ固定したのち、フィルムの端部の重なり部分を精電舎電子工業社製の超音波溶着機にて溶着した。溶着子は幅3mm、長さ200mmの先端がフラット形状のもので行った。
【００８４】
重ね合わせ部は概ね良好に溶着されたが、フィルムの先端部にて研磨時に破壊された箇所が見られたため、シアノアクリレート系接着剤で破壊箇所を埋め、固化後サンドペーパーにて平坦になるよう研磨し、１層のスリーブ体よりなるベーススリーブを形成した。
【００８５】
〔２．表面材層の形成〕
作成したポリエステルフィルム製のベーススリーブに、東洋紡株式会社製プリンタイトJグレード0.95mm厚み品を紫外線硬化させ、水洗熱処理等を施した表面材を、日東電工株式会社製両面テープ0.06mm厚み品にて貼り込んで巻着させた。ベーススリーブの接合部と表面材の継ぎ目部の円周方向の位相は180°ずらしとした。なお、上記水洗熱処理は、紫外線を照射露光した後に水洗い冷却する工程と、水洗い冷却する工程の後、135℃〜170℃の温度のオーブンにて熱風による加熱処理を施す工程と、加熱処理後の前記印刷版を自然冷却する工程とを経て行うようにしても良い。また、加熱処理及び放熱処理は、ベーススリーブに巻着した状態と略同じ径で円筒状に保持して行うこととしても良い。
【００８６】
表面材の両端テーパー形状は、重ね合わせの上側のテーパー（逆テーパー部）をより鋭角にし、先端がわずかにテーパー部からはみ出すように長さ調整し、貼付後、突出部分をフライス刃により平坦に研削することで切欠部の形成を行った。
【００８７】
〔３．ノッチ形成〕
このスリーブ版を、外径φ226.17mmのマンドレルに装着し、エスコグラフィック社製レーザー彫刻機にて面長方向の長さを188mmにカットし、ノッチ形状の彫り込みも行った。なお、ノッチの円周方向の位置と表面材接合部の位置は位相差を10°とした。
【００８８】
〔４．彫刻〕
こうして作成したレーザー彫刻用スリーブ版に、レーザー彫刻にて１式８版の画像の彫刻を行った。
【００８９】
彫刻後、0.5%濃度の乳酸水にて彫刻デブリを洗浄し、乾燥させ、印刷用スリーブ版とした。
【００９０】
〔５．印刷〕
この印刷用スリーブ版を使用し、ストーレマシーナリー社製コンコルドデコレーターにて印刷を行った。印刷機のマンドレル径はφ226.2mmであった。
【００９１】
印刷結果は概ね良好で、最高印刷速度2000cpm時も印刷ズレは確認できなかった。
【００９２】
FRP製スリーブ版では1500cpmを超えると印刷ズレが確認されることから、今回の発明によるスリーブ版の方が高回転時にも位置保持性能が高いことが証明された。
【００９３】
〔６．落下試験〕
印刷テストの後、スリーブ版の落下テストを行った。1.5mの高さからコンクリート製の床に落下させ、1版につき20回落下させた。8版とも落下テストを行ったが、１本もスリーブの損傷は確認できなかった。同条件でニッケル製スリーブはほとんどのものに歪みが発生した。
【００９４】
上述してきたように、本実施形態に係るレーザー彫刻用スリーブ版の製造方法によれば、円筒状のベーススリーブに矩形シート状の表面材を巻着してなるレーザー彫刻用スリーブ版の製造方法であって、前記表面材の互いに対向する一方の辺縁に表面側から裏面側へ漸次肉薄となるテーパー部を形成し、他方の辺縁に裏面側から表面側へ漸次肉薄となる逆テーパー部を形成するテーパーエッジ形成工程と、前記表面材を湾曲させ、前記ベーススリーブ表面に前記テーパー部を貼着し、同テーパー部に前記逆テーパー部を重畳させて継ぎ目部を形成しつつベーススリーブに表面材を巻着する巻着工程と、を有することとしたため、表面材の交換ができ、レーザー耐性のないベーススリーブを用いた場合でもレーザー光によるベーススリーブの変形を防止可能なレーザー彫刻用スリーブ版の製造方法を提供することができる。
【００９５】
また、ベーススリーブを、熱可塑性樹脂フィルムを円筒状に湾曲させ、端辺を溶着して接合部を形成したスリーブ体により構成すれば、軽量かつ安価であり、落下耐性が高く、しかも容易に廃棄を行うことが可能なレーザー彫刻用スリーブ版の製造方法を提供することができる。
【００９６】
最後に、上述した各実施の形態の説明は本発明の一例であり、本発明は上述の実施の形態に限定されることはない。このため、上述した各実施の形態以外であっても、本発明に係る技術的思想を逸脱しない範囲であれば、設計等に応じて種々の変更が可能であることは勿論である。
【符号の説明】
【００９７】
１０  ベーススリーブ
１１  表面材
１１ａ  表面
１１ｂ  裏面
１２  テーパーエッジ
１２ａ  テーパー部
１２ｂ  逆テーパー部
１２ｃ  突出先端部
１２ｄ  切欠部
１４  表面材層
１５  継ぎ目部
１５ａ  間隙
１５ｂ  充填材
２０  スリーブ体
２２ａ  テーパー部
２２ｂ  逆テーパー部
２５  接合部
α  傾斜角
β  傾斜角
Ａ  レーザー彫刻用スリーブ版
Ｐ  湾曲方向
【図１】
2019181806.tif 000003
【図２】
2019181806.tif 000004
【図３】
2019181806.tif 000005
【図４】
2019181806.tif 000006
【図５】
2019181806.tif 000007
【図６】
2019181806.tif 000008
【図７】
2019181806.tif 000009
【図８】
2019181806.tif 000010